(57)【要約】【課題】  簡単な操作で入力側と出力側とを組み合わせることができる。【解決手段】  情報処理システム１０は、ＣＰＵ３２と、コンピュータ１４〜２０と、コンピュータ１４〜２０の各々から送信される映像ないし画像を含む表示画面をディスプレイ５２に表示する表示装置１２とを備える。表示装置１２は、コンピュータ１４〜２０の各々から送信される映像信号を受け付けるための第１入力ポート〜第４入力ポートと、コンピュータ１４〜２０の各々に操作信号を出力する第１出力ポート〜第４出力ポートを備える。ＣＰＵ３２は、第１出力ポート〜第４出力ポートの各々に画像を変化させるための検出用信号を出力して、表示画面の画像の変化を検出し、検出用信号を送信した出力ポートと、画像が変化した表示画面に対応する入力ポートとの組み合わせを設定するようにした。【選択図】  図３
2019078892.tif 000002
【特許請求の範囲】
【請求項１】
複数の情報端末の各々と通信可能に接続され、表示部を備える表示装置であって、
前記複数の情報端末の各々に対応して設けられ、当該複数の情報端末の各々から送信される映像信号が入力される複数の入力ポート、
前記複数の情報端末の各々に対応して設けられ、当該複数の情報端末の各々に操作信号を出力する複数の出力ポート、
前記複数の入力ポートのうち、少なくとも１つの入力ポートに入力された前記映像信号に対応する画像を含む表示画面を前記表示部に表示させる表示制御部、
前記複数の出力ポートの各々に、前記画像を変化させるための検出用信号を順次出力させる検出用信号出力部、
前記表示画面に含まれる前記画像が変化したことを検出する検出部、および
前記検出部によって前記画像が変化したことが検出された場合に、前記複数の出力ポートのうち、前記画像が変化したときに前記検出用信号が出力されていた設定用の出力ポートと、前記画像が変化したときに前記表示部に表示されていた前記画像に対応する前記映像信号が入力される前記入力ポートとの組み合わせを設定する接続設定部を備える、表示装置。
【請求項２】
前記表示画面は、前記複数の入力ポートの各々に対応する複数のサブ画面を含み、
前記検出部は、前記複数のサブ画面のうち、前記画像が変化した設定用のサブ画面を検出し、
前記接続設定部は、前記設定用の出力ポートと、前記複数の入力ポートのうち、前記画像が変化した前記設定用のサブ画面に対応する設定用の入力ポートとの組み合わせを設定する、請求項１記載の表示装置。
【請求項３】
前記検出用信号出力部は、所定のユーザ操作があったときに、前記検出用信号を前記複数の出力ポートの各々から出力させる、請求項１または２記載の表示装置。
【請求項４】
前記検出用信号出力部は、前記複数の入力ポートにおける接続状態が変化したときに、前記検出用信号を前記複数の出力ポートの各々から出力させる、請求項１または２記載の表示装置。
【請求項５】
前記検出用信号出力部は、前記複数の出力ポートにおける接続状態が変化したときに、前記検出用信号を前記複数の出力ポートの各々から出力させる、請求項１または２記載の表示装置。
【請求項６】
前記検出用信号出力部は、前記表示部に表示される画面構成が変化したときに、前記検出用信号を前記複数の出力ポートの各々から出力させる、請求項２記載の表示装置。
【請求項７】
複数の情報端末の各々と通信可能に接続され、表示部、前記複数の情報端末の各々に対応して設けられ、当該複数の情報端末の各々から送信される映像信号が入力される複数の入力ポートおよび前記複数の情報端末の各々に対応して設けられ、当該複数の情報端末の各々に操作信号を出力する複数の出力ポートを備える表示装置の制御プログラムであって、
前記表示装置のプロセッサを、
前記複数の入力ポートのうち、少なくとも１つの入力ポートに入力された前記映像信号に対応する画像を含む表示画面を前記表示部に表示させる表示制御手段、
前記複数の出力ポートの各々に、前記画像を変化させるための検出用信号を順次出力させる検出用信号出力手段、
前記表示画面に含まれる前記画像が変化したことを検出する検出手段、および
前記検出手段によって前記画像が変化したことが検出された場合に、前記複数の出力ポートのうち、前記画像が変化したときに前記検出用信号が出力されていた設定用の出力ポートと、前記画像が変化したときに前記表示部に表示されていた前記画像に対応する前記映像信号が入力される前記入力ポートとの組み合わせを設定する接続設定手段として機能させる、制御プログラム。
【請求項８】
複数の情報端末の各々と通信可能に接続され、表示部、前記複数の情報端末の各々に対応して設けられ、当該複数の情報端末の各々から送信される映像信号が入力される複数の入力ポートおよび前記複数の情報端末の各々に対応して設けられ、当該複数の情報端末の各々に操作信号を出力する複数の出力ポートを備える表示装置のプロセッサが、
（ａ）前記複数の入力ポートのうち、少なくとも１つの入力ポートに入力された前記映像信号に対応する画像を含む表示画面を前記表示部に表示させるステップ、
（ｂ）前記複数の出力ポートの各々に、前記画像を変化させるための検出用信号を順次出力させるステップ、
（ｃ）前記表示画面に含まれる前記画像が変化したことを検出するステップ、および
（ｄ）前記ステップ（ｃ）で前記画像が変化したことが検出された場合に、前記複数の出力ポートのうち、前記画像が変化したときに前記検出用信号が出力されていた設定用の出力ポートと、前記画像が変化したときに前記表示部に表示されていた前記画像に対応する前記映像信号が入力される前記入力ポートとの組み合わせを設定するステップを実行する、制御方法。
【発明の詳細な説明】
【技術分野】
【０００１】
この発明は、表示装置、制御プログラムおよび制御方法に関し、特にたとえば、複数の入出力部を備える、表示装置、制御プログラムおよび制御方法に関する。
【背景技術】
【０００２】
この種の背景技術の切替装置の一例が特許文献１に開示される。この特許文献１に開示される切替装置は、ユーザの操作に応じて、複数のコンピュータと、それぞれがタッチパネルを有する複数の入出力装置との間における電気的な接続を切り替えることにより、複数のコンピュータのうちの所望のコンピュータと、複数の入出力装置のうちの所望の入出力装置との間において電気的な接続を確立するスイッチング部を備える。
【先行技術文献】
【特許文献】
【０００３】
【特許文献１】特開２００８−４６７６２号公報
【発明の概要】
【発明が解決しようとする課題】
【０００４】
しかしながら、特許文献１に開示される切替装置では、コンピュータと入出力装置とが複数系統存在するため、コンピュータと入出力装置との組み合わせが煩雑になり、ユーザが常に正しい組み合わせを選択できるとは限らない。このため、正しい組み合わせを選択できなかった場合、ユーザは、正しい組み合わせになるまで接続を切り替えたり、各コンピュータおよび各入出力装置が、切替装置のどの接続ポートに接続されているかを確認したりする必要があり、面倒である。
【０００５】
それゆえに、この発明の主たる目的は、新規な、表示装置、制御プログラムおよび制御方法を提供することである。
【０００６】
この発明の他の目的は、簡単な操作で映像入力と操作出力とを組み合わせることができる、表示装置、制御プログラムおよび制御方法を提供することである。
【課題を解決するための手段】
【０００７】
第１の発明は、複数の情報端末の各々と通信可能に接続され、表示部、複数の入力ポート、複数の出力ポート、表示制御部、検出用信号出力部、検出部および接続設定部を備える表示装置である。複数の入力ポートは、複数の情報端末の各々に対応して設けられ、当該複数の情報端末の各々から送信される映像信号が入力される。複数の出力ポートは、複数の情報端末の各々に対応して設けられ、当該複数の情報端末の各々に操作信号を出力する。表示制御部は、複数の入力ポートのうち、少なくとも１つの入力ポートに入力された映像信号に対応する画像を含む表示画面を表示部に表示させる。検出用信号出力部は、複数の出力ポートの各々に、画像を変化させるための検出用信号を順次出力させる。検出部は、表示画面に含まれる画像が変化したことを検出する。接続設定部は、検出部によって画像が変化したことが検出された場合に、複数の出力ポートのうち、画像が変化したときに検出用信号が出力されていた設定用の出力ポートと、画像が変化したときに表示部に表示されていた画像に対応する映像信号が入力される入力ポートとの組み合わせを設定する。
【０００８】
第２の発明は、第１の発明に従属する表示装置であって、表示画面は、複数の入力ポートの各々に対応する複数のサブ画面を含み、検出部は、複数のサブ画面のうち、画像が変化した設定用のサブ画面を検出し、接続設定部は、設定用の出力ポートと、複数の入力ポートのうち、画像が変化した設定用のサブ画面に対応する設定用の入力ポートとの組み合わせを設定する。
【０００９】
第３の発明は、第１または第２の発明に従属する表示装置であって、検出用信号出力部は、所定のユーザ操作があったときに、検出用信号を複数の出力ポートの各々から出力させる。
【００１０】
第４の発明は、第１または第２の発明に従属する表示装置であって、検出用信号出力部は、複数の入力ポートにおける接続状態が変化したときに、検出用信号を複数の出力ポートの各々から出力させる。
【００１１】
第５の発明は、第１または第２の発明に従属する表示装置であって、検出用信号出力部は、複数の出力ポートにおける接続状態が変化したときに、検出用信号を複数の出力ポートの各々から出力させる。
【００１２】
第６の発明は、第２の発明に従属する表示装置であって、検出用信号出力部は、表示部に表示される画面構成が変化したときに、検出用信号を複数の出力ポートの各々から出力させる。
【００１３】
第７の発明は、複数の情報端末の各々と通信可能に接続され、表示部、複数の情報端末の各々に対応して設けられ、当該複数の情報端末の各々から送信される映像信号が入力される複数の入力ポートおよび複数の情報端末の各々に対応して設けられ、当該複数の情報端末の各々に操作信号を出力する複数の出力ポートを備える表示装置の制御プログラムであって、表示装置のプロセッサを、複数の入力ポートのうち、少なくとも１つの入力ポートに入力された映像信号に対応する画像を表示部に表示させる表示制御手段、複数の出力ポートの各々に、画像を変化させるための検出用信号を順次出力させる検出用信号出力手段、表示画面に含まれる画像が変化したことを検出する検出手段、および検出手段によって画像が変化したことが検出された場合に、複数の出力ポートのうち、画像が変化したときに検出用信号が出力されていた設定用の出力ポートと、画像が変化したときに表示部に表示されていた画像に対応する映像信号が入力される入力ポートとの組み合わせを設定する接続設定手段として機能させる。
【００１４】
第８の発明は、複数の情報端末の各々と通信可能に接続され、表示部、複数の情報端末の各々に対応して設けられ、当該複数の情報端末の各々から送信される映像信号が入力される複数の入力ポートおよび複数の情報端末の各々に対応して設けられ、当該複数の情報端末の各々に操作信号を出力する複数の出力ポートを備える表示装置のプロセッサが、（ａ）複数の入力ポートのうち、少なくとも１つの入力ポートに入力された映像信号に対応する画像を表示部に表示させるステップ、（ｂ）複数の出力ポートの各々に、画像を変化させるための検出用信号を順次出力させるステップ、（ｃ）表示画面に含まれる画像が変化したことを検出するステップ、および（ｄ）ステップ（ｃ）で画像が変化したことが検出された場合に、複数の出力ポートのうち、画像が変化したときに検出用信号が出力されていた設定用の出力ポートと、画像が変化したときに表示部に表示されていた画像に対応する映像信号が入力される入力ポートとの組み合わせを設定するステップを実行する制御方法である。
【発明の効果】
【００１５】
この発明によれば、簡単な操作で映像入力と操作出力とを組み合わせることができる。
【００１６】
この発明の上述の目的，その他の目的，特徴および利点は、図面を参照して行う以下の実施例の詳細な説明から一層明らかとなろう。
【図面の簡単な説明】
【００１７】
【図１】図１はこの発明の情報処理システムの構成の一例を示す図である。
【図２】図２は図１に示す表示装置の電気的な構成を示すブロック図である。
【図３】図３は図１に示す表示装置の表示画面と情報処理システムの接続状態の一例を示す図である。
【図４】図４は情報処理システムの動作例の一例を示す図である。
【図５】図５は暫定的な接続設定テーブルの一例を示す図解図である。
【図６】図６は自動設定後の接続設定テーブルの一例を示す図解図である。
【図７】図７は図２に示すＲＡＭのメモリマップの一例を示す図解図である。
【図８】図８は図２に示すＣＰＵの接続処理の一例を示すフロー図である。
【図９】図９は第２実施例における表示装置の表示画面と情報処理システムの接続状態の一例を示す図である。
【図１０】図１０は第２実施例における接続処理の一例を示すフロー図である。
【図１１】図１１は第３実施例における情報処理の一例を示すフロー図である。
【図１２】図１２は第４実施例における情報処理の一例を示すフロー図である。
【発明を実施するための形態】
【００１８】
［第１実施例］
図１はこの発明の情報処理システム１０の構成の一例を示す図である。図１を参照して、この発明の第１実施例である情報処理システム１０は、表示装置１２、４つのコンピュータ（第１コンピュータ１４、第２コンピュータ１６、第３コンピュータ１８および第４コンピュータ２０）を含む。
【００１９】
この第１実施例では、表示装置１２が電子黒板に適用される場合について説明する。電子黒板は、インタラクティブ・ホワイトボード（ＩＷＢ：Interactive Whiteboard）とも呼ばれる。ただし、表示装置１２は、タッチ入力が可能なものであれば、他の情報機器ないし電子機器に適用されてもよい。
【００２０】
コンピュータ１４〜２０の各々は、表示装置１２に画像データを出力する汎用のコンピュータ（情報端末）である。また、コンピュータ１４〜２０の各々は、ＣＰＵ、ＲＡＭ、ＨＤＤ（記憶部）および通信モジュールなどのコンポーネントを備えている。
【００２１】
図２は図１に示す表示装置１２の電気的な構成を示すブロック図である。図２を参照して、この発明の第１実施例である表示装置１２はＣＰＵ３２を含む。ＣＰＵ３２には、バス３０を介してＲＡＭ３４、ＲＯＭ３６、タッチパネル制御回路３８、描画制御回路４０、映像信号入力部４２および操作信号出力部４４が接続される。また、タッチパネル制御回路３８にはタッチパネル５０が接続され、描画制御回路４０にはディスプレイ５２が接続される。
【００２２】
ＣＰＵ３２は、表示装置１２の全体的な制御を司る。ＲＡＭ３４は、ＣＰＵ３２のワーク領域およびバッファ領域として用いられる。ＲＯＭ３６は、表示装置１２を制御するための制御プログラムや表示装置１２の各種設定情報についてのデータを記憶したりする。ただし、ＲＯＭ３６に代えて、フラッシュメモリまたはＨＤＤなどの他の不揮発性のメモリが設けられても良い。
【００２３】
タッチパネル制御回路３８は、タッチパネル５０に必要な電圧などを付与するとともに、タッチパネル５０のタッチ有効範囲内でのタッチ操作（タッチ入力）を検出して、そのタッチ入力の位置を示すタッチ座標データをＣＰＵ３２に出力する。
【００２４】
タッチパネル５０は、汎用のタッチパネルであり、静電容量方式、電磁誘導方式、抵抗膜方式、赤外線方式など、任意の方式のものを用いることができる。この第１実施例では、タッチパネル５０としては、静電容量方式のタッチパネルがディスプレイ５２の表示面上に設けられる。
【００２５】
タッチパネル５０を用いた操作（入力）としては、タップ（短押し）、スライド（ドラッグ）、フリック、ロングタッチ（長押し）などがあり、この第１実施例では、これらを「タッチ入力」または単に「入力」のように総称することがある。また、タッチパネル５０をタッチしていない状態からタッチしている状態に変化することをタッチオンと言い、タッチパネル５０をタッチしている状態からタッチしていない状態に変化することをタッチオフと言う。継続的なタッチ入力、つまり、スライドまたはフリックによる入力に対しては、タッチパネル５０は、現在のタッチ位置に対応するタッチ座標データを所定周期よりも短い周期で出力する。たとえば、所定周期は、１〜数フレームであり、１フレームは１／３０秒、１／６０秒または１／１２０秒である。
【００２６】
なお、この第１実施例では、入力手段の一例として、タッチパネル５０が用いられる場合について説明するが、タッチパネル５０以外の入力手段として、たとえばタッチパッドなどの他のポインティングデバイスを用いてもよい。また、表示装置１２には、他の入力手段として、ハードウェアキーを含む操作パネルが設けられたり、ハードウェアのキーボードが接続されたり、リモコン（図示せず）から送信されるリモコン信号（赤外線信号）を受信するリモコン受信部が接続されたりすることがある。
【００２７】
図２に戻って、描画制御回路４０は、ＧＰＵおよびＶＲＡＭなどを含んでおり、ＣＰＵ３２の指示の下、ＧＰＵは、ＲＡＭ３４に記憶された画像生成データ３０４ｂ（図７参照）を用いてディスプレイ５２に種々の表示画面を表示するための画面データをＶＲＡＭに生成し、生成した画面データに対応する画面をディスプレイ５２に表示する。ディスプレイ５２としては、たとえばＬＣＤまたはＥＬディスプレイなどを用いることができる。
【００２８】
たとえば、ＧＰＵは、コンピュータ１４〜２０の各々から入力される映像ないし画像を用いて画面データをＶＲＡＭに生成し、生成した画面データに従った種々の画面をディスプレイ５２に表示する。
【００２９】
映像信号入力部４２は、コンピュータ１４〜２０の各々から入力される映像ないし画像に対応する映像信号（画像データ）を受け付けるためのインターフェイスであり、ＤｉｓｐｌａｙＰｏｒｔ、ＨＤＭI（登録商標）、ＤＶＩおよびＤ−ＳＵＢなどが利用される。ただし、画像データのみならず、音声についてのデータも入力することができる。また、映像信号入力部４２は、複数の映像信号入力ポート（以下、単に「入力ポート」ということがある。）４２０（図３参照）を含む。この第１実施例では、映像信号入力部４２は、４つの入力ポート４２０を含む。４つの入力ポート４２０は、表示装置１２の背面または下面に所定の配列で設けられる。コンピュータ１４〜２０の各々は、映像信号入力部４２で採用されるインターフェイスに対応した入力ケーブルを介して、４つの入力ポート４２０のいずれかに接続される。
【００３０】
操作信号出力部４４は、コンピュータ１４〜２０の各々に操作信号を出力するためのインターフェイスであり、ＵＳＢなどが利用される。また、操作信号出力部４４は、複数の操作信号出力ポート（以下、単に「出力ポート」ということがある。）４４０を含む。この第１実施例では、操作信号出力部４４は、４つの出力ポート４４０を含む。４つの出力ポート４４０は、表示装置１２の背面または下面に所定の配列で設けられる。コンピュータ１４〜２０の各々は、操作信号出力部４４で採用されるインターフェイスに対応した出力ケーブルを介して、４つの出力ポート４４０のいずれかに接続される。
【００３１】
このような構成の情報処理システム１０では、入力ポート４２０と出力ポート４４０とが複数存在するため、入力ポート４２０と出力ポート４４０との対応付け（組み合わせ）が煩雑になり、コンピュータに接続された入力ケーブルおよび出力ケーブルの組み合わせが間違って接続される可能性がある。この場合、ユーザは、同じコンピュータに接続された入力ポート４２０と出力ポート４４０との組み合わせが正しいかを確認する必要があり、面倒である。
【００３２】
また、入力ポート４２０と出力ポート４４０との正しい組み合わせを選択するために、スイッチング部を備え、ユーザの操作に応じて、複数の入力ポート４２０の各々と、複数の出力ポート４４０の各々との間における電気的な接続を切り替える方法も考えられるが、ユーザが常に正しい組み合わせを選択できるとは限らない。このため、正しい組み合わせを選択できなかった場合、ユーザは、入力ポート４２０と出力ポート４４０とが正しい組み合わせになるまで接続を切り替えたり、同じコンピュータに接続された入力ポート４２０と出力ポート４４０とを確認したりする必要があり、面倒である。
【００３３】
そこで、この第１実施例では、複数の出力ポート４４０の各々に画像を変化させるための検出用信号を出力（送信）して、画像の変化を検出し、検出用信号を送信した出力ポート４４０と、変化した画像に対応する入力ポート４２０との組み合わせを自動的に設定するようにした。
【００３４】
図３は図１に示す表示装置１２とコンピュータ１４〜２０との接続状態の一例を示す図である。図４は情報処理システム１０の動作例の一例を示す図である。図５は暫定的な接続設定テーブルの一例を示す図解図である。図６は自動設定後の接続設定テーブルの一例を示す図解図である。
【００３５】
図３に示すように、表示装置１２とコンピュータ１４〜２０の各々とは、上述したように、入力ケーブルおよび出力ケーブルによって接続されている。ただし、映像信号入力部４２は、４つの入力ポート４２０（第１入力ポート４２２〜第４入力ポート４２８）を含み、操作信号出力部４４は、４つの出力ポート４４０（第１出力ポート４４２〜第４出力ポート４４８）を含む。
【００３６】
具体的には、第１コンピュータ１４の入力ケーブルは、映像信号入力部４２の第１入力ポート４２２に接続され、第１コンピュータ１４の出力ケーブルは、操作信号出力部４４の第３出力ポート４４６に接続される。
【００３７】
第２コンピュータ１６の入力ケーブルは、映像信号入力部４２の第２入力ポート４２４に接続され、第２コンピュータ１６の出力ケーブルは、操作信号出力部４４の第１出力ポート４４２に接続される。
【００３８】
第３コンピュータ１８の入力ケーブルは、映像信号入力部４２の第３入力ポート４２６に接続され、第３コンピュータ１８の出力ケーブルは、操作信号出力部４４の第２出力ポート４４４に接続される。
【００３９】
第４コンピュータ２０の入力ケーブルは、映像信号入力部４２の第４入力ポート４２８に接続され、第４コンピュータ２０の出力ケーブルは、操作信号出力部４４の第４出力ポート４４８に接続される。
【００４０】
また、第１実施例の表示装置１２は、所謂ピクチャ・バイ・ピクチャ（ＰｂｙＰ）機能を有する。図３に示す例では、ディスプレイ５２の表示領域が、上下に２分割され、左右に２分割されており、４つの領域に分割されている。このため、ディスプレイ５２に表示される表示画面は、４つの領域に表示される４つのサブ画面（第１サブ画面１２０〜第４サブ画面１２６）を含む。第１サブ画面１２０は、ディスプレイ５２の左上の領域に表示され、第２サブ画面１２２は、ディスプレイ５２の右上の領域に表示され、第３サブ画面１２４は、ディスプレイ５２の左下の領域に表示され、第４サブ画面１２６は、ディスプレイ５２の右下の領域に表示される。
【００４１】
ただし、サブ画面１２０〜１２６の各々には、４つの入力ポート４２０（第１入力ポート４２２〜第４入力ポート４２８）のいずれか、および４つの出力ポート４４０（第１出力ポート４４２〜第４出力ポート４４８）のいずれかがそれぞれ割り当てられている。このため、サブ画面１２０〜１２６の各々には、それぞれに対応する入力ポート４２０に入力された映像ないし画像に対応する画像が表示される。また、サブ画面１２０〜１２６の表示領域内にタッチ入力があった場合、タッチ入力があったサブ画面に対応する出力ポート４４０からタッチ位置に対応するタッチ座標データが出力される。
【００４２】
また、サブ画面１２０〜１２６と４つの入力ポート４２０の各々との組み合わせは、予め決められている。第１サブ画面１２０は、第１入力ポート４２２に対応し、第２サブ画面１２２は、第２入力ポート４２４に対応し、第３サブ画面１２４は、第３入力ポート４２６に対応し、第４サブ画面１２６は、第４入力ポート４２８に対応する。なお、この第１実施例では、サブ画面１２０〜１２６と４つの入力ポート４２０の各々との組み合わせは、固定されており、変更されない。
【００４３】
このため、第１サブ画面１２０には、第１入力ポート４２２を介して第１コンピュータ１４から入力された画像が表示され、第２サブ画面１２２には、第２入力ポート４２４を介して第２コンピュータ１６から入力された画像が表示され、第３サブ画面１２４には、第３入力ポートを介して第３コンピュータ１８から入力された画像が表示され、第４サブ画面１２６には、第４入力ポート４２８を介して第４コンピュータ２０から入力された画像が表示される。
【００４４】
以上のような、サブ画面１２０〜１２６の各々と４つの入力ポート４２０の各々との組み合わせは、図５に示す接続設定テーブルに記述される。ただし、図５に示す接続設定テーブルは、初期状態の暫定的なテーブルである。なお、初期状態とは、後述する接続処理が実行される前の状態のことを意味する。
【００４５】
また、接続設定テーブルには、サブ画面１２０〜１２６の各々と４つの入力ポート４２０の各々との組み合わせに加え、サブ画面１２０〜１２６（４つの入力ポート４２０）の各々と４つの出力ポート４４０の各々との組み合わせが記述される。ただし、初期状態におけるサブ画面１２０〜１２６の各々と４つの出力ポート４４０の各々との組み合わせは、予め決められている。
【００４６】
たとえば、図５に示すように、初期状態の接続設定テーブルでは、第１サブ画面１２０には、第１出力ポート４４２が対応付けられ、第２サブ画面１２２には、第２出力ポート４４４が対応付けられ、第３サブ画面１２４には、第３出力ポート４４６が対応付けられ、第４画面１２８には、第４出力ポート４４８が対応付けられる。
【００４７】
図３および図５からわかるように、初期状態においては、第１サブ画面１２０は、映像入力が第１コンピュータ１４に対応し、操作出力が第２コンピュータ１６に対応する。第２サブ画面１２２は、映像入力が第２コンピュータ１６に対応し、操作出力が第３コンピュータ１８に対応する。第３サブ画面１２４は、映像入力が第３コンピュータ１８に対応し、操作出力が第１コンピュータ１４に対応する。第４サブ画面１２６は、映像入力および操作出力の両方が第４コンピュータ２０に対応する。
【００４８】
このように、初期状態においては、第４サブ画面１２６を除く第１サブ画面１２０〜第３サブ画面１２４において、映像入力と操作出力とが異なるコンピュータに対応付けられた状態となっている。つまり、初期状態においては、入力ポート４２０と出力ポート４４０との組み合わせに誤りがある状態である。
【００４９】
ここで、表示装置１２は、所定のユーザ操作（開始操作）を受け付けた場合に、４つの入力ポート４２０（サブ画面１２０〜１２６）の各々と４つの出力ポート４４０の各々との組み合わせを自動的に設定する処理（接続処理）を実行する。ただし、開始操作とは、開始操作用のアイコンがタッチされる操作または開始操作用のハードウェアキーが押下される操作のことである。なお、開始操作を受け付けるために、接続処理を実行させるための開始操作用のアイコンを含む操作画面をディスプレイ５２に表示させたり、接続処理を実行させるための開始操作用のハードウェアキーを表示装置１２またはリモコンに設けたりすることが考えられる。
【００５０】
ただし、少なくとも接続処理の実行中は、サブ画面１２０〜１２６には、静止画が表示される。ここでは、コンピュータ１４〜２０の各々に、接続処理用の画像を予め記憶させておき、その接続処理用の画像をサブ画面１２０〜１２６に表示させるようにしても良いし、静止画によって構成される待機画面をサブ画面１２０〜１２６に表示させるようにしても良い。
【００５１】
また、図４に示すように、少なくとも接続処理の実行中は、サブ画面１２０〜１２６には、マウスポインタ等の指標画像１３０が表示される。この指標画像１３０は、表示装置１２から出力されるタッチ座標データに応じて移動するものである。また、指標画像は、所定時間以上タッチ座標データが入力されない場合には、非表示にされることがある。ただし、指標画像１３０は、非表示にされている状態でタッチ座標データが入力されたときには、当該タッチ座標データが示す位置に応じた位置または非表示にされたときの位置に表示される。
【００５２】
次に、接続処理の内容を説明する。簡単に説明すると、表示装置１２は、接続処理を開始すると、サブ画面１２０〜１２６を変化させるためのダミーの操作信号（以下、「検出用信号」ということがある。）を用いて、映像入力と操作出力とが同じコンピュータに対応付けられるように、４つの入力ポート４２０（サブ画面１２０〜１２６）の各々と４つの出力ポート４４０との組み合わせを自動的に設定する。以下、接続処理を具体的に説明する。
【００５３】
表示装置１２は、接続処理を開始すると、検出用信号を４つの出力ポート４４０の各々から順次出力する。検出用信号は、ディスプレイ５２の表示領域内において、タッチ位置が移動するダミーのタッチ入力（たとえばスライドまたはフリック等）に対応するタッチ座標データに対応する信号である。表示装置１２は、第１出力ポート４４２から第４出力ポート４４８まで順に検出用信号を出力する。
【００５４】
ここで、４つの出力ポート４４０の各々を介してコンピュータ１４〜２０の各々に検出用信号が入力されると、検出用信号が入力されたコンピュータに対応するサブ画面では、検出用信号に対応するダミーのタッチ入力に応じて、指標画像１３０が移動したり、非表示にされていた指標画像１３０が表示されたりする。つまり、ディスプレイ５２に表示される表示画面に含まれる画像が変化する。
【００５５】
表示装置１２は、検出用信号を或る出力ポート４４０から出力したときに、検出用信号応じた画像の変化を検出する。ここでは、表示装置１２は、ディスプレイ５２に表示される表示画面の前後のフレーム間の画像（映像）が比較されて、画像が変化したかどうかが検出される。また、画像の変化が検出されるときには、画像が変化した位置が検出される。画像が変化した位置が検出されると、その位置が、サブ画面１２０〜１２６の表示領域のいずれに含まれるかが判定される。つまり、サブ画面１２０〜１２６のうち、画像が変化したサブ画面が検出される。
【００５６】
そして、検出用信号を出力した出力ポート４４０と、その検出用信号を出力したときに画像が変化したサブ画面に対応する入力ポート４２０との組み合わせが自動的に設定される。
【００５７】
たとえば、接続処理が開始されると、最初に第１出力ポート４４２に検出用信号が出力される。図３からわかるように、第１出力ポート４４２には出力ケーブルを介して第２コンピュータ１６が接続されているので、第１出力ポート４４２から出力された検出用信号は、第２コンピュータ１６に入力される。したがって、第２コンピュータ１６から入力される画像が変化する。ここで、第２コンピュータ１６の入力ケーブルは、第２入力ポート４２４に接続されているので、図４に示すように、指標画像１３０が移動したりして、第２入力ポート４２４に対応する第２サブ画面１２２に含まれる画像が変化する。このため、検出用信号を出力した第１出力ポート４４２と、画像が変化した第２サブ画面１２２および当該第２サブ画面１２２に対応する第２入力ポート４２４との組み合わせが設定される。
【００５８】
第１出力ポート４４２の組み合わせが設定されると、第２出力ポート４４４から検出用信号が出力される。図３からわかるように、第２出力ポート４４４から出力された検出用信号は、第３コンピュータ１８に入力される。第３コンピュータ１８は、第３入力ポート４２６に接続されているので、第３入力ポート４２６に対応する第３サブ画面１２４に含まれる画像が変化する。したがって、第２出力ポート４４４と、第３入力ポート４２６（第３サブ画面１２４）との組み合わせが設定される。
【００５９】
第２出力ポート４４４の組み合わせが設定されると、第３出力ポート４４６から検出用信号が出力される。第３出力ポート４４６から出力された検出用信号は、第１コンピュータ１４に入力される。第１コンピュータ１４は、第１入力ポート４２２に接続されているので、第１入力ポート４２２に対応する第１サブ画面１２０に含まれる画像が変化する。したがって、第３出力ポート４４６と、第１入力ポート４２２（第１サブ画面１２０）との組み合わせが設定される。
【００６０】
最後に、第４出力ポート４４８から検出用信号が出力され、上記と同様の処理が行われ、第４出力ポート４４８と、第４入力ポート４２８（第４サブ画面１２６）との組み合わせが設定される。ただし、第４出力ポート４４８から検出用信号が出力されるときには、入力ポート４２０と出力ポート４４０がそれぞれ１つ（第４入力ポート４２８および第４出力ポート４４８）しか残っていないので、残った入力ポート４２０と出力ポート４４０とで組み合わせを設定し、上記の処理を省略しても良い。
【００６１】
以上のように設定された４つの入力ポート４２０の各々と４つの出力ポート４４０との組み合わせに応じて、図６に示すように接続設定テーブルが更新される。
【００６２】
以後、接続処理によって更新された接続設定テーブルに従って、操作入力データが各出力ポート４４０に振り分けられて出力される。たとえば、第１サブ画面１２０の表示領域内においてタッチ入力がされた場合、そのタッチ入力に対応するタッチ座標データは、第３出力ポート４４６に出力され、第１コンピュータ１４に入力される。このように、接続処理が実行された後は、入力ポート４２０と出力ポート４４０との組み合わせが正しい状態で情報処理システム１０を利用することができる。
【００６３】
情報処理システム１０の上記のような動作は、表示装置１２のＣＰＵ３２がＲＡＭ３４に記憶された情報処理プログラムを実行することによって実現される。具体的な処理については、後でフロー図を用いて説明する。
【００６４】
図７は図２に示す表示装置１２のＲＡＭ３４のメモリマップの一例を示す。図７に示すように、ＲＡＭ３４は、プログラム記憶領域３０２およびデータ記憶領域３０４を含む。プログラム記憶領域３０２には、上述したように、情報処理プログラムが記憶される。情報処理プログラムは、表示プログラム３０２ａ、操作検出プログラム３０２ｂ、映像信号受信プログラム３０２ｃ、操作信号送信プログラム３０２ｄ、検出用信号送信プログラム３０２ｅ、第１検出プログラム３０２ｆ、画面判定プログラム３０２ｇおよび接続設定プログラム３０２ｈを含む。
【００６５】
表示プログラム３０２ａは、後述する画像生成データ３０４ｂを用いて、サブ画面１２０〜１２６などの各種の画面をディスプレイ２２に表示するためのプログラムである。また、表示プログラム３０２ａは、後述する画面位置データ３０４ｃに応じて、サブ画面１２０〜１２６の各々が所定の表示領域に表示されるように画面データをディスプレイ５２に出力するためのプログラムである。
【００６６】
操作検出プログラム３０２ｂは、タッチ入力を検出するためのプログラムであり、ＣＰＵ３２は、この操作検出プログラム３０２ｂに従って、タッチパネル５０から出力されたタッチ座標データを取得し、取得したタッチ座標データを時系列に従ってＲＡＭ３４に記憶する。ただし、上述したように、ハードウェアキーまたはキーボードが設けられる場合には、操作検出プログラム３０２ｂに従って、操作ボタンの入力も検出される。また、操作検出プログラム３０２ｂに従って、リモコンから送信されるリモコン信号に応じてリモコンのキーの入力も検出される。
【００６７】
映像信号受信プログラム３０２ｃは、コンピュータ１４〜２０から第１入力ポート４２２〜第４入力ポート４２８に入力される映像信号に対して、画像のサイズ、画質、信号の変換仕様に基づいて所定の処理を行い、サブ画面１２０〜１２６の各々に対応する画面データを生成するためのプログラムである。
【００６８】
操作信号送信プログラム３０２ｄは、操作検出プログラム３０２ｂに従って取得されたタッチ座標データを、画面判定プログラム３０２ｇに従って判定された結果に応じて４つの出力ポート４４０のいずれかに振り分けて出力（送信）するためのプログラムである。具体的には、タッチ座標データは、接続設定テーブルに従って、当該タッチ座標データに対応するサブ画面に対応する出力ポート４４０に出力される。
【００６９】
検出用信号送信プログラム３０２ｅは、検出用信号を４つの出力ポート４４０の各々から順次出力するためのプログラムである。
【００７０】
第１検出プログラム３０２ｆは、検出用信号を４つの出力ポート４４０のいずれかから出力したときに、ディスプレイ５２に表示される表示画面の画像の変化を検出する。また、第１検出プログラム３０２ｆは、画像が変化した位置に応じて、サブ画面１２０〜１２６のうち、画像が変化したサブ画面を検出するためのプログラムでもある。
【００７１】
画面判定プログラム３０２ｇは、操作検出プログラム３０２ｂによって検出されたタッチ座標データの座標が、サブ画面１２０〜１２６のいずれの表示領域に含まれるかを判定するためのプログラムである。具体的には、画面判定プログラム３０２ｇを実行するＣＰＵ３２は、後述する画面位置データ３０４ｃを参照して、タッチ座標データの座標がサブ画面１２０〜１２６の各々の表示領域に対応する４つの座標データの集合のいずれに含まれるかを判定する。
【００７２】
接続設定プログラム３０２ｈは、検出用信号を出力した出力ポート４４０と、その検出用信号を出力したときに画像が変化したサブ画面に対応する入力ポート４２０との組み合わせを設定し、接続設定テーブルを更新するためのプログラムである。
【００７３】
なお、図示は省略するが、プログラム記憶領域３０２には、各種の機能やアクションを選択および実行するためのプログラムや他のアプリケーションプログラムなども記憶される。
【００７４】
データ記憶領域３０４には、操作入力データ３０４ａ、画像生成データ３０４ｂ、画面位置データ３０４ｃおよびテーブルデータ３０４ｄなどが記憶される。
【００７５】
操作入力データ３０４ａは、操作検出プログラム３０２ｂに従って検出されたタッチ座標データを時系列に従って記憶したデータである。ただし、操作入力データ３０４ａには、ハードウェアのボタンの操作またはリモコンの操作についての操作データが含まれる場合もある。
【００７６】
画像生成データ３０４ｂは、ディスプレイ５２に表示されるサブ画面１２０〜１２６およびその他の操作画面を含む各種の画面に対応する表示画像データを生成するためのポリゴンデータまたはテクスチャデータ等のデータである。
【００７７】
画面位置データ３０４ｃは、サブ画面１２０〜１２６の各々の表示領域（表示位置）を示す座標データの集合である。ただし、画面位置データ３０４ｃは、サブ画面毎の位置データを含む。
【００７８】
テーブルデータ３０４ｄは、上述した接続設定テーブル等のデータである。ただし、このテーブルデータ３０４ｄは、たとえば、表示装置１２の主記憶部に記憶されている。テーブルデータ３０４ｄは、必要に応じて、表示装置１２の主記憶部から読み出され、ＲＡＭ３４に記憶される。
【００７９】
なお、図示は省略するが、データ記憶領域３０４には、情報処理プログラムの実行に必要な他のデータが記憶されたり、情報処理プログラムの実行に必要なタイマ（カウンタ）やレジスタが設けられたりする。
【００８０】
図８は図２に示す表示装置１２のＣＰＵ３２の接続処理の一例を示すフロー図である。開始操作を受け付けると、図８に示すように、ＣＰＵ３２は、接続処理を開始し、ステップＳ１で、サブ画面１２０〜１２６の各々にコンピュータ１４〜２０から入力される画像（静止画）を表示して、ステップＳ３で、変数ｎに初期値を設定する（ｎ＝１）。この変数ｎは、複数の出力ポート４４０を個別に識別するために設定される。具体的には、変数ｎは、操作信号出力部４４の第１出力ポート４４２〜第４出力ポート４４８を個別に識別するために設けられる。
【００８１】
続いて、ステップＳ５で、第ｎ出力ポートに検出用信号を出力して、ステップＳ７で、画像が変化したかどうかを判断する。ステップＳ７で“ＮＯ”であれば、つまり、画像が変化していないと判断した場合は、後述するステップＳ１５に進む。一方、ステップＳ７で“ＹＥＳ”であれば、つまり、画像が変化したと判断した場合は、ステップＳ９で、画像が変化したサブ画面を検出して、ステップＳ１１で、画像が変化したサブ画面および当該サブ画面に対応する入力ポート４２０にステップＳ５で検出用信号を出力した第ｎ出力ポートを組み合わせる。
【００８２】
続いて、ステップＳ１３で、接続設定テーブルをステップＳ１１の内容で更新して、ステップＳ１５で、変数ｎを１加算して（ｎ＝ｎ＋１）、ステップＳ１７で、終了かどうかを判断する。ここでは、変数ｎが最大数（出力ポート４４０の数、この実施例では、４）を超えたかどうかを判断する。
【００８３】
ステップＳ１７で“ＮＯ”であれば、つまり、終了しないと判断した場合は、ステップＳ５に戻る。一方、ステップＳ１７で“ＹＥＳ”であれば、つまり、終了すると判断した場合は、接続処理を終了する。
【００８４】
この第１実施例では、所定の開始操作を受け付けると、複数の出力ポート４４０の各々に画像を変化させるための検出用信号を出力（送信）して、画像の変化を検出し、検出用信号を送信した出力ポート４４０と、変化した画像に対応する入力ポート４２０との組み合わせを自動的に設定する。このため、ユーザは、開始操作をするだけで良いので、簡単な操作で映像入力と操作出力とを組み合わせることができる。
【００８５】
なお、第１実施例の情報処理システム１０では、全ての入力ポート４２０に入力ケーブルが接続され、また、全ての出力ポート４４０に出力ケーブルが接続され、入力ポート４２０および出力ポート４４０の数に対応する数のコンピュータを含むようにしたが、これに限定される必要は無い。たとえば、入力ポート４２０および出力ポート４４０が４つ設けられている場合に、２つまたは３つのコンピュータが表示装置１２に接続される場合であっても、本発明を適用することができる。つまり、入力ケーブルが接続されない入力ポート４２０が存在する場合または出力ケーブルが接続されない出力ポート４４０が存在する場合であっても、本発明を適用することができる。この場合、出力ケーブル（コンピュータ）が接続されていない出力ポート４４０に検出用信号が出力されても、ディスプレイ５２に表示される表示画面の画像は変化しない。したがって、出力ケーブルが接続されていない出力ポート４４０は、組み合わせが設定されなくても良いし、他の出力ポート４４０の組み合わせによって残った入力ポート４２０との組み合わせが設定されても良い。
【００８６】
また、第１実施例の情報処理システム１０では、接続処理が実行されると、サブ画面１２０〜１２６および入力ポート４２０に対する出力ポート４４０の組み合わせを変更するようにしたが、これに限定される必要は無い。サブ画面１２０〜１２６と出力ポート４４０との組み合わせを予め決めておき、サブ画面１２０〜１２６および出力ポート４４０に対する入力ポート４２０の組み合わせを変更するようにしても良い。
［第２実施例］
第２実施例の情報処理システム１０は、第１入力ポート４２２〜第４入力ポート４２８のうち、１つの入力ポートに対応する画面をディスプレイ５２の全表示領域に表示（全画面表示）するようにした以外は、第１実施例と同じであるため、第１実施例と異なる内容について説明し、重複した説明については省略する。
【００８７】
図９は第２実施例における表示装置１２の表示画面１４０と情報処理システム１０の接続状態の一例を示す図である。図９に示すように、第２実施例の表示装置１２は、１つの表示画面１４０が、ディスプレイ５２の全表示領域に表示される。このとき、表示画面１４０は、４つの入力ポート４２０（第１入力ポート４２２〜第４入力ポート４２８）のいずれかに対応する。ただし、表示画面１４０が、４つの入力ポート４２０のうちのいずれの入力ポートに対応するかは、ユーザ操作に応じて決定される。図９に示す例では、表示画面１４０は、第１入力ポート４２２（第１コンピュータ１４）に対応し、第１入力ポート４２２に入力された画像を含むものとする。
【００８８】
ただし、初期状態では、第１入力ポート４２２には、第１出力ポート４４２との組み合わせが設定されている。しかしながら、図９からわかるように、第１出力ポート４４２には、第２コンピュータ１６が接続されている。このため、初期状態においては、表示画面１４０には、映像入力と操作出力とが異なるコンピュータに対応付けられた状態となっている。
【００８９】
表示装置１２は、開始操作を受け付けると、接続処理を開始する。ただし、第１実施例と同様に、少なくとも接続処理の実行中は、表示画面１４０には、静止画が表示され、マウスポインタ等の指標画像が表示される。
【００９０】
また、表示装置１２は、接続処理を開始すると、検出用信号を４つの出力ポート４４０の各々から順次出力する。ただし、第２実施例の表示装置１２は、検出用信号を出力ポート４４０から出力したときに、画像が変化したかどうかのみを検出し、画像が変化した位置については検出しない。第２実施例では、表示画面１４０がディスプレイ５２の全表示領域に表示されているので、複数の画面が表示される第１実施例とは異なり、画像が変化した画面を検出する必要が無いからである。
【００９１】
そして、表示画面１４０に対応する入力ポート４２０（この場合は第１入力ポート４２２）と、画像が変化したときに検出用信号を出力した出力ポート４４０との組み合わせが自動的に設定される。
【００９２】
第２実施例の接続処理の動作例を説明する。まず、接続処理が開始されると、第１出力ポート４４２から検出用信号が出力される。第１出力ポート４４２には出力ケーブルを介して第２コンピュータ１６が接続されているので、第１出力ポート４４２から出力された検出用信号は、第２コンピュータ１６に入力される。ただし、第２コンピュータ１６は、第２入力ポート４２４に接続されているので、第１入力ポート４２２に対応する表示画面１４０の画像は変化しない。画像が変化しない状態で、所定時間（たとえば数秒）が経過すると、第２出力ポート４４４から検出用信号が出力される。第２出力ポート４４４から出力された検出用信号は、第３コンピュータ１８に入力される。ただし、第３コンピュータ１８は、第３入力ポート４２６に接続されているので、第１入力ポート４２２に対応する表示画面１４０の画像は変化しない。
【００９３】
次に、第３出力ポート４４６から検出用信号が出力される。第３出力ポート４４６には出力ケーブルを介して第１コンピュータ１４が接続されているので、第３出力ポート４４６から出力された検出用信号は、第１コンピュータ１４に入力される。第１コンピュータ１４は、第１入力ポート４２２に接続されているので、第１コンピュータ１４に検出用信号が入力されると、表示画面１４０の画像が変化する。
【００９４】
したがって、表示画面１４０に対応する第１入力ポート４２２と、画像が変化したときに検出用信号を出力した第３出力ポート４４６との組み合わせが設定される。
【００９５】
図１０は第２実施例における接続処理の一例を示すフロー図である。以下、フロー図を用いて、第２実施例における接続処理について説明するが、第１実施例で説明した接続処理と同じ処理については同じ参照符号を付し、重複した内容については、説明を省略するまたは簡単に説明することにする。
【００９６】
図１０に示すように、接続処理が開始されると、ＣＰＵ３２は、ステップＳ３１で、全画面表示かどうかを判断する。ステップＳ３１で“ＮＯ”であれば、つまり、全画面表示でない（サブ画面が表示されている）場合には、ステップＳ１に進む。なお、ステップＳ１に進んだ場合の処理の内容は、第１実施例と同じであるので説明を省略する。
【００９７】
一方、ステップＳ３１で“ＹＥＳ”であれば、つまり、全画面表示である場合には、ステップＳ３３で、ディスプレイ５２の全表示領域にコンピュータ１４〜２０のいずれか１つから入力される画像（静止画）を表示して、ステップＳ３５で、変数ｎに初期値を設定して、ステップＳ３７で、第ｎ出力ポートに検出用信号を出力して、ステップＳ３９で、画像が変化したかどうかを判断する。ステップＳ３９で“ＮＯ”であれば、つまり、画像が変化していないと判断した場合は、ステップＳ４１で、変数ｎを１加算して、ステップＳ４３で、終了かどうかを判断する。ステップＳ４３で“ＮＯ”であれば、つまり、終了しないと判断した場合は、ステップＳ３７に戻る。一方、ステップＳ４３で“ＹＥＳ”であれば、つまり、終了すると判断した場合は、接続処理を終了する。たとえば、表示画面１４０に対応するコンピュータとの間で出力ケーブルが接続されない場合（操作信号を出力しない場合）には、入力ポート４２０と出力ポート４４０との組み合わせが設定されずに接続処理を終了することがある。
【００９８】
一方、ステップＳ３９で“ＹＥＳ”であれば、つまり、画像が変化したと判断した場合は、ステップＳ４５で、表示中の画像に対応する入力ポート４２０に直前のステップＳ３７で検出用信号を出力した第ｎ出力ポートを組み合わせて、ステップＳ４７で、接続設定テーブルをステップＳ４５の内容で更新して、接続処理を終了する。
【００９９】
この第２実施例によれば、全画面表示された状態で、複数の出力ポート４４０の各々に画像を変化させるための検出用信号を出力（送信）して、表示中の画像の変化を検出し、表示中の画像に対応する入力ポート４２０と、画像が変化したときに検出用信号を出力した出力ポート４４０との組み合わせを設定するので、簡単な操作で映像入力と操作出力とを組み合わせることができる。
［第３実施例］
第３実施例は、映像信号入力部４２または操作信号出力部４４における接続状態が変化したときに接続処理を実行するようにした以外は、第１実施例と同じであるため、第１実施例と異なる内容について説明し、重複した説明については省略する。
【０１００】
第３実施例の情報処理システム１０では、開始操作を受け付けたときだけでなく、映像信号入力部４２における接続状態が変化したときにも接続処理が実行される。ただし、映像信号入力部４２における接続状態が変化するとは、第１入力ポート４２２〜第４入力ポート４２８に新たに入力ケーブルが装着（接続）されたり、装着されていた入力ケーブルが取り外されたりすることを意味する。
【０１０１】
また、第３実施例の情報処理システム１０では、操作信号出力部４４における接続状態が変化したときに接続処理が実行される。ただし、操作信号出力部４４における接続状態が変化するとは、第１出力ポート４４２〜第４出力ポート４４８に新たに出力ケーブルが装着されたり、装着されていた入力ケーブルが取り外されたりすることを意味する。
【０１０２】
つまり、映像信号入力部４２に接続される入力ケーブルの数が変化したり、操作信号出力部４４に接続される出力ケーブルの数が変化したりしたときに、映像信号入力部４２または操作信号出力部４４における接続状態が変化したと判断される。
【０１０３】
また、第３実施例では、上述したような動作を実現するために、表示装置１２のＲＡＭ３４に記憶された情報処理プログラムには、映像信号入力部４２または操作信号出力部４４における接続状態を検出するための接続状態検出プログラム、および接続状態検出プログラムに従って検出された接続状態に応じて、映像信号入力部４２または操作信号出力部４４における接続状態が変化したかどうかを判定する接続状態判定プログラム等が含まれる。
【０１０４】
図１１は第３実施例における表示装置１２のＣＰＵ３２の情報処理の一例を示すフロー図である。以下、フロー図を用いて、第３実施例における情報処理について説明する。この情報処理は、表示装置１２の主電源がオンされると開始される。
【０１０５】
図１１に示すように、情報処理が開始されると、ＣＰＵ３２は、ステップＳ５１で、映像信号入力部４２または操作信号出力部４４における接続状態が変化したかどうかを判断する。ステップＳ５１で“ＮＯ”であれば、つまり、映像信号入力部４２または操作信号出力部４４における接続状態が変化していないと判断した場合は、同じステップＳ５１に戻る。一方、ステップＳ５１で“ＹＥＳ”であれば、つまり、映像信号入力部４２または操作信号出力部４４における接続状態が変化したと判断した場合は、ステップＳ５３で、接続処理を実行して、情報処理を終了する。なお、ステップＳ５３の接続処理の内容については、第１実施例と同じであるので説明を省略する。
【０１０６】
この第３実施例によれば、映像信号入力部４２または操作信号出力部４４における接続状態が変化したときに接続処理を開始するので、適切なタイミングで映像信号入力ポートと操作信号出力ポートとの組み合わせを設定することができる。
【０１０７】
なお、第３実施例に示した態様は、第２実施例にも組み合わせて採用することが可能である。
［第４実施例］
第４実施例は、ディスプレイ５２に表示される画面構成が変化したときに接続処理を実行するようにした以外は、第１実施例と同じであるため、第１実施例と異なる内容について説明し、重複した説明については省略する。
【０１０８】
第４実施例の情報処理システム１０では、ディスプレイ５２に表示される画面構成が変化したときに接続処理が実行される。ただし、画面構成が変化するとは、ディスプレイ５２に表示される画面の数が変化することを意味する。具体的には、ディスプレイ５２の全表示領域に１つの画面が表示された状態（全画面表示される状態）から、ディスプレイ５２の表示領域が分割されて複数のサブ画面が表示される状態に変化したり、ディスプレイ５２に複数のサブ画面が表示された状態から全画面表示される状態に変化したり、ディスプレイ５２に複数のサブ画面が表示された状態で、サブ画面の数が変化したりときに、画面構成が変化したと判断される。また、全画面表示される状態で、表示画面に対応する入力ポートが切り替えられたときにも画面構成が変化したと判断される。
【０１０９】
第４実施例では、上述したような動作を実現するために、表示装置１２のＲＡＭ３４に記憶された情報処理プログラムには、ディスプレイ５２に表示される画面の数を検出するための画面数検出プログラム、および画面数検出プログラムに従って検出された画面の数に応じて、ディスプレイ５２に表示される画面の数が変化したかどうかを判定する画面構成判定プログラム等が含まれる。
【０１１０】
図１２は第４実施例における表示装置１２のＣＰＵ３２の情報処理の一例を示すフロー図である。以下、フロー図を用いて、第４実施例における情報処理について説明する。この情報処理は、表示装置１２の電源がオンされると開始される。
【０１１１】
図１２に示すように、情報処理が開始されると、ＣＰＵ３２は、ステップＳ７１で、ディスプレイ５２に表示される画面構成が変化したかどうかを判断する。ステップＳ７１で“ＮＯ”であれば、つまり、ディスプレイ５２に表示される画面構成が変化していないと判断した場合は、同じステップＳ７１に戻る。一方、ステップＳ７１で“ＹＥＳ”であれば、つまり、ディスプレイ５２に表示される画面構成が変化したと判断した場合は、ステップＳ７３で、接続処理を実行して、情報処理を終了する。なお、ステップＳ７３の接続処理の内容については、第１実施例と同じであるので説明を省略する。
【０１１２】
この第４実施例によれば、ディスプレイ５２に表示される画面構成が変化したときに接続処理を実行するので、適切なタイミングで映像信号入力ポートと操作信号出力ポートとの組み合わせを設定することができる。
【０１１３】
なお、第４実施例に示した態様は、第２実施例にも組み合わせて採用することが可能である。
【０１１４】
また、本発明は、複数の表示装置を含むマルチディスプレイにも適用することができる。たとえば、マルチディスプレイは、複数の（たとえば、４台）の表示装置を備える。図示は省略するが、マルチディスプレイにおいて、複数の表示装置は縦方向または横方向に並べられる。また、複数の表示装置の各々の表示部を構成する複数の表示パネルは、互いに隙間なく並べられ、１枚の大きな表示パネルが形成される。さらに、複数の表示装置は、ケーブルを用いて直列に接続（デイジーチェーン接続）される。具体的には、或る表示装置が親機となり、時計回りの順序でデイジーチェーン接続され、データ転送はバケツリレー方式で行われる。たとえば、親機は、デイジーチェーン接続された場合の先頭（最前段）に配置される。ただし、親機以外の表示装置は子機として機能する。たとえば、ケーブルは、Thunderbolt（登録商標）3用のケーブルまたはUSB Type-C用のケーブル等であり、画像データおよび操作入力データ等を送受信できる。このようなマルチディスプレイでは、親機の表示装置に複数の入力ポート４２０および複数の出力ポート４４０が設けられ、親機および子機の各々には、複数の入力ポート４２０のいずれか、および複数の出力ポート４４０のいずれかがそれぞれ割り当てられている。親機からは、子機の各々に割り当てられた入力ポート４２０の画像データが送信される。また、子機から親機には操作入力データが送信され、親機は、子機から受信した操作入力データを、当該子機に割り当てられた出力ポート４４０に振り分けて出力する。このような構成のマルチディスプレイであれば、上述した接続処理を実行することによって、映像入力と操作出力とを自動的に組み合わせることができる。
【０１１５】
さらに、上述の実施例で挙げた具体的な数値、画面構成等は一例であり、実際の製品に応じて適宜変更することが可能である。
【０１１６】
さらにまた、上述の実施例で示したフロー図の各ステップは、同じ結果が得られるのであれば、処理される順番は適宜変更することが可能である。
【符号の説明】
【０１１７】
１０  …情報処理システム
１２  …表示装置
１４  …第１コンピュータ
１６  …第２コンピュータ
１８  …第３コンピュータ
２０  …第４コンピュータ
４２  …映像信号入力部
４４  …操作信号出力部
５２  …ディスプレイ
【図１】
2019078892.tif 000003
【図２】
2019078892.tif 000004
【図３】
2019078892.tif 000005
【図４】
2019078892.tif 000006
【図５】
2019078892.tif 000007
【図６】
2019078892.tif 000008
【図７】
2019078892.tif 000009
【図８】
2019078892.tif 000010
【図９】
2019078892.tif 000011
【図１０】
2019078892.tif 000012
【図１１】
2019078892.tif 000013
【図１２】
2019078892.tif 000014